(57)【要約】シリンジアダプタは、第１の端部と、第１の端部の反対側に配置された第２の端部とを有するハウジングを含み、ハウジングは、ハウジングの第１の端部に配置され、シリンジバレルに固定されるように構成されたコネクタ本体を含み、カニューレは、ハウジング内に配置され、カニューレは、移送開口部およびバルブ開口部を画定し、シールアレンジメントは、ハウジング内に配置され、ハウジング内で移動可能であり、吸引アセンブリは、吸引開口部を画定し、吸引ハウジングによって受け取られるフィルタと、吸引ハウジングによって受け取られる一方向弁とからなり、カニューレの弁開口部が吸引ハウジング内に配置され、空気が吸引開口部を介してフィルタに流入し、一方向弁に流入し、カニューレの弁開口部に流入するように構成されている。
2021521929.tif 000002
【特許請求の範囲】
【請求項１】
シリンジアダプタであって：
第１の端部と、前記第１の端部の反対側に配置された第２の端部とを有するハウジングであって、前記ハウジングの前記第１の端部に配置され、シリンジバレルに固定されるように構成されたコネクタ本体を含む、ハウジングと；
前記ハウジング内に配置されたカニューレであって、前記カニューレは、第１の端部および前記第１の端部の反対側に第２の端部を有し、前記カニューレは、移送開口部および弁開口部を画定する、カニューレと；
前記ハウジング内に配置され、前記ハウジング内で移動可能なシールアレンジメントであって、前記シールアレンジメントは、膜を含む、シールアレンジメントと；および
前記ハウジング内に配置された吸引アセンブリであって、
吸引開口部を画定する吸引ハウジングと；
前記吸引ハウジングによって受け入れるフィルタと；および
前記吸引ハウジングによって受け入れられた一方向弁であって、前記カニューレの前記弁開口部が前記吸引ハウジング内に配置され、空気が、前記吸引開口部を介して、前記フィルタに流入し、前記一方向弁に流入し、前記カニューレの戦記弁開口部に流入するように構成されている、一方向弁と、
を含む吸引アセンブリと、
を備えるシリンジアダプタ。
【請求項２】
前記吸引アセンブリは、前記吸引ハウジングに固定され、前記フィルタおよび前記一方向弁と係合するベースをさらに備える、請求項１に記載のシリンジアダプタ。
【請求項３】
前記ベースが前記コネクタ本体に固定されている、請求項２に記載のシリンジアダプタ。
【請求項４】
前記カニューレの前記第１の端部は、前記カニューレが前記ベース、前記一方向弁、前記フィルタ、および前記カニューレの前記第２の端部が前記シールアレンジメントによって受け入れられるように構成された前記吸引ハウジングを通って延びるように、コネクタ本体に固定される、請求項２に記載のシリンジアダプタ。
【請求項５】
前記一方向弁が、一方向弁からフィルタおよび吸引ハウジングの吸引開口部への流体の流れを防止する、請求項１に記載のシリンジアダプタ。
【請求項６】
前記シールアレンジメントは、前記カニューレの前記第２の端部が前記シールアレンジメントの前記膜内に受け入れられた第１の位置と、前記カニューレの前記第２の端部が前記シールアレンジメントの前記膜の外側に配置された第２の位置と、前記シールアレンジメントが前記第２の位置にあるときに前記吸引ハウジングの前記吸引開口部に係合してシールする前記シールアレンジメントの前記膜と、を有する、請求項１に記載のシリンジアダプタ。
【請求項７】
前記吸引アセンブリの少なくとも一部は、前記コネクタ本体内に受け入れられる、請求項１に記載のシリンジアダプタ。
【請求項８】
前記カニューレの前記弁開口部が複数の開口部を含む、請求項１に記載のシリンジアダプタ。
【請求項９】
前記フィルタおよび前記一方向弁が環状であり、前記一方向弁が前記フィルタ内に受け入れられる、請求項１に記載のシリンジアダプタ。
【請求項１０】
前記一方向弁が、弁本体と、前記弁本体に対して半径方向内側に移動可能な弁部材と、を備える、請求項１に記載のシリンジアダプタ。
【請求項１１】
前記一方向弁の前記弁部材がエラストマーである、請求項1に記載のシリンジアダプタ。
【請求項１２】
シリンジアダプタであって：
第１の端部および前記第１の端部の反対側に配置された第２の端部を有するハウジングであって、前記ハウジングの前記第１の端部に配置され、シリンジバレルに固定されるように構成されたコネクタ本体を含む、ハウジングと；
前記ハウジング内に配置されるカニューレであって、前記第１の端部と、前記第１の端部の反対側にある第２の端部と、を有するカニューレと；
前記ハウジング内に配置され、前記ハウジング内で移動可能なシールアレンジメントであって、膜を含む、シールアレンジメントと；および
前記ハウジング内に配置された吸引アセンブリであって、
吸引開口部を画定する吸引ハウジングと；
前記吸引ハウジングによって受け入れるフィルタと；および
前記吸引ハウジングによって受け取られる一方向弁と、を備え、
空気は、前記吸引開口部を介して、前記一方向弁を通って、および前記フィルタを通って前記吸引ハウジングに流入するように構成される、吸引アセンブリと、
を備える、シリンジアダプタ。
【請求項１３】
前記吸引アセンブリは、前記吸引ハウジングに固定され、前記フィルタと係合するベースをさらに備える、請求項１２に記載のシリンジアダプタ。
【請求項１４】
前記ベースが開口部を画定し、前記コネクタ本体が、前記ベースの前記開口部および前記コネクタ本体の中央通路と流体連通する際の開口部を画定する、請求項１３に記載のシリンジアダプタ。
【請求項１５】
前記コネクタ本体は、前記吸引ハウジングおよび前記コネクタ本体の中央通路と流体連通する開口部を画定し、前記空気は、前記フィルタを通過して前記コネクタ本体の前記開口部に入るように構成される、請求項１２に記載のシリンジアダプタ。
【請求項１６】
前記カニューレの前記第１の端部は、前記カニューレが前記フィルタ、前記一方向弁、および前記カニューレの前記第２の端部が前記シールアレンジメントによって受け入れられるように構成された前記吸引ハウジングを通って延びるように、コネクタ本体に固定される、請求項１２に記載のシリンジアダプタ。
【請求項１７】
前記一方向弁が、前記吸引ハウジング内から前記吸引開口部への流体の流れを防止する、請求項１２に記載のシリンジアダプタ。
【請求項１８】
前記シールアレンジメントは、前記カニューレの前記第２の端部が前記シールアレンジメントの前記膜内に受け入れられた第１の位置と、前記カニューレの前記第２の端部が前記シールアレンジメントの外側に配置された第２の位置と、前記シールアレンジメントが前記第２の位置にあるときに前記吸引ハウジングの前記吸引開口部に係合してシールする前記シールアレンジメントの前記膜と、を有する、請求項１２に記載のシリンジアダプタ。
【請求項１９】
前記シールアレンジメントが前記第２の位置にあるときに、前記膜およびシーリングガスケットのうちの１つが前記吸引ハウジングの前記吸引開口部をシールする、請求項１８に記載のシリンジアダプタ。
【請求項２０】
前記一方向弁が傘弁を含む、請求項１２に記載のシリンジアダプタ。
【発明の詳細な説明】
【技術分野】
【０００１】
本発明は、シリンジを別の医療デバイスまたは流体コンテナに接続するためのシリンジアダプタ、より具体的には、吸引アセンブリを含むシリンジアダプタに関する。
【背景技術】
【０００２】
本出願は、2018年4月19日に出願された「吸引アセンブリを備えたシリンジアダプタ」と題された米国仮出願No.62/659,840の優先権を主張し、その開示全体は、参照によりその全体が本明細書に組み込まれる。
【０００３】
薬剤師や看護師などの医療従事者は、薬剤または溶媒への繰り返しの曝露の結果として、急性および長期の健康リスクにさらされる可能性があり、薬剤の調製、薬剤投与、および他の同様の取り扱い活動中に空気中に逃げる可能性がある。例えば、輸液を行う場合、輸液バッグまたは他の輸液コンテナ内の輸液に薬剤または他の医療物質を注入する必要があることが多い。この注入は、しばしば、問題の医療用液体で満たされたシリンジの針で、注入バッグまたは注入流体ライン上の注入ポートの隔壁または他の流体バリアを貫通することによって実行される。隔壁に貫通する前に、薬液をバイアルからシリンジに移し、次にシリンジからコンテナに移す必要があってもよい。これらのステップのそれぞれでは、臨床医または医療提供者は、例えば、気化した医療用流体またはエアロゾルとして放出された汚染物質からの汚染をもたらす医療用流体にさらされ得る。たとえば、気化した汚染物質やエアロゾル汚染物質を肺に吸い込むことによって汚染が発生するかもしれない。汚染は、気化した汚染物質またはエアロゾル汚染物質が凝縮して、臨床医または医療提供者の皮膚に浸透したときにも発生するかもしれない。場合によっては、そのような凝縮した汚染物質が保護グローブに浸透することさえある。
【０００４】
残念ながら、汚染物質への曝露は、長期的には、臨床医または医療提供者の血液または体組織に許容できないほど高濃度の薬剤または汚染物質を生じさせるかもしれない。複雑な注入の準備中に発生しなければならないコンテナ間の多くの移動ステップのために、汚染のリスクが高まる。これらの理由から、クローズドシステム移送デバイス（CSTDs）が開発され、薬剤の移送中に薬剤が移送デバイスに確実に含まれるようになる。ＣＳＴＤは、一般に、シリンジに接続するためのシリンジアダプタと、バイアル、第２のシリンジ、流体コンテナ、または患者の循環系への流体アクセスを提供する導管に接続するための別のアダプタとを含む。使用中、臨床医またはケア提供者は、それぞれのアダプタの接続を介してシリンジをバイアルに取り付けることにより、粉末または凍結乾燥化合物を生理食塩水または他の再構成媒体で再構成してもよい。次に、シリンジからそれぞれのアダプタを介してバイアルに液体を注入することにより、薬剤を再構成する。場合によっては、再構成された注入液がシリンジに吸引されてもよい。吸引後、アダプタは互いに切り離すことができる。次に、臨床医またはケア提供者は、シリンジを別のアダプタに取り付けて、シリンジから流体導管、または患者に投与するためのＩＶラインまたはシリンジなどの患者送達デバイスに流体を移送し得る。特定の状況では、空気は最初にシリンジに吸引され、バイアルから流体を引き出す前にバイアルに注入される。バイアルに空気を注入すると、バイアルが加圧され、流体がバイアルから引き出されると、バイアル内の圧力が元の圧力に戻る。
【発明の概要】
【課題を解決するための手段】
【０００５】
本開示の一態様によれば、シリンジアダプタは、第１の端部および第１の端部の反対側に配置された第２の端部を有するハウジングを含み、ハウジングは、ハウジングの第１の端部に配置され、シリンジバレルに固定されるように構成されたコネクタ本体を含み、カニューレは、ハウジング内に配置され、カニューレは、第１の端部および第２の端部が第１の端部の反対側にあり、移送開口部および弁開口部を規定し、シールアレンジメントはハウジング内で移動可能に、ハウジング内に配置され、シールアレンジメントは、膜と、ハウジング内に配置された吸引アセンブリと、を含む。吸引ハウジングは、吸引開口部を画成する吸引ハウジングと、吸引ハウジングによって受け取られるフィルタ、および吸引ハウジングによって受け取られる一方向弁を含み、カニューレの弁開口部は、吸引ハウジング内に配置され、空気は、吸引開口部を介してフィルタに流入し、一方向弁に流入し、カニューレの弁開口部に流入するように構成される。
【０００６】
吸引アセンブリは、吸引ハウジングに固定され、フィルタおよび一方向弁と係合するベースをさらに含み得る。ベースはコネクタ本体に固定されてもよい。カニューレの第１の端部は、カニューレがベース、一方向弁、フィルタ、およびカニューレの第２の端部がシールアレンジメントによって受け入れられるように構成された吸引ハウジングを通って延びるように、コネクタ本体に固定され得る。一方向弁は、一方向弁からフィルタおよび吸引ハウジングの吸引開口部への流体の流れを妨げるかもしれない。シールアレンジメントは、カニューレの第２の端部がシールアレンジメントの膜内に受け入れられた第１の位置と、カニューレの第２の端部がシールアレンジメントの膜の外側に配置された第２の位置と、シールアレンジメントが第２の位置にあるときに吸引ハウジングの吸引開口部に係合してシールするシールアレンジメントの膜と、を有し得る。吸引アセンブリの少なくとも一部は、コネクタ本体内に受け入れてもよい。カニューレの弁開口部は、複数の開口部を含み得る。フィルタと一方向弁は環状であってもよく、一方向弁はフィルタ内に受け入れられる。一方向弁は、弁本体と、弁本体に対して半径方向内側に相対的に移動可能な弁部材とを含んでもよい。一方向弁の弁部材は、エラストマーであってもよい。
【０００７】
さらなる局面では、シリンジアダプタは、第１の端部および第１の端部の反対側に配置された第２の端部を有するハウジングを含み、ハウジングは、ハウジングの第１の端部に配置され、シリンジバレルに固定されるように構成されたコネクタ本体を含み、カニューレは、ハウジング内に配置され、カニューレは、第１の端部および第２の端部が第１の端部の反対側にあり、シールアレンジメントはハウジング内で移動可能に、ハウジング内に配置され、シールアレンジメントは、膜と、ハウジング内に配置された吸引アセンブリと、を含む。吸引アセンブリは、吸引開口部を画定する吸引ハウジングと、吸引ハウジングによって受け取られるフィルタと、および吸引ハウジングによって受け取られる一方向弁とを含み、空気は、吸引開口部を介して、一方向弁を通り、フィルタを通り、吸引ハウジングに流入するように構成される。
【０００８】
吸引アセンブリは、吸引ハウジングに固定され、フィルタと係合するベースをさらに含んでもよい。ベースは開口部を画定してもよく、コネクタ本体は、ベースの開口部およびコネクタ本体の中央通路と流体的に連通する開口部を画定してもよい。コネクタ本体は、吸引ハウジングと流体連通する開口部と、コネクタ本体の中央通路とを画定してもよく、ここで、空気は、フィルタを通過してコネクタ本体の開口部に入るように構成されている。カニューレの第１の端部は、コネクタ本体に固定されてもよく、カニューレがフィルタ、一方向弁およびカニューレの第２の端部がシールアレンジメントによって受け入れられるように構成された吸引ハウジングを通って延びるように構成されている。一方向弁は、吸引ハウジング内から吸引開口部への流体の流れを妨げるかもしれない。シールアレンジメントは、カニューレの第２の端部がシールアレンジメントの膜内に受け入れられた第１の位置と、カニューレの第２の端部がシールアレンジメントの膜の外側に配置された第２の位置と、シールアレンジメントが第２の位置にあるときに吸引ハウジングの吸引開口部に係合してシールするシールアレンジメントと、を有し得る。シールアレンジメントが第２の位置にあるとき、膜とシールガスケットのうちの１つは、吸引ハウジングの吸引開口部をシールしてもよい。一方向弁は傘弁であってもよい。
【０００９】
本発明のこれらおよび他の特徴および特性、ならびに構造の関連する要素の動作および機能の方法および部品の組み合わせおよび製造の経済性は、そのすべてが本明細書の一部を形成し様々な図において同様の参照番号は対応する部分を示す添付図面を参照して、以下の説明および添付の特許請求の範囲を考慮すると、より明らかになるであろう。しかしながら、図面は、例示および説明の目的のみのためであり、および本発明の限定の定義として意図されないことは、明確に理解されるべきである。本明細書および特許請求の範囲において使用される際に、「a」、「an」、および「the」の単数形は、文脈が明らかに他のことを指示しない限り、複数の指示対象を含む。
【図面の簡単な説明】
【００１０】
【図１】図１は、本発明の一態様によるシリンジアダプタの斜視図である。
【図２】図２は、図１のシリンジアダプタの断面図である。
【図３】図３は、図１のシリンジアダプタの分解斜視図である。
【図４】図４は、本発明の一態様による吸引アセンブリの斜視図である。
【図５】図５は、本発明の一態様による一方向弁の斜視図である。
【図６】図６は、吸引流路を示す、図１のシリンジアダプタの部分断面図である。
【図７】図７は、一方向弁を通る閉じた経路を示す、図１のシリンジアダプタの部分断面図である。
【図８】図８は、図１のシリンジアダプタの部分断面図であり、シールアレンジメントの第２の位置を示し、シールアレンジメントと吸引アセンブリとの間のシールインターフェースを強調している。
【図９】図９は、図１のシリンジアダプタの部分断面図であり、シールアレンジメントの第２の位置およびシリンジアダプタを通ってシリンジに入る流路を示している。
【図１０】図１０は、本発明のさらなる態様による吸引アセンブリの断面図である。
【図１１】図１１は、図１０の吸引アセンブリの分解斜視図である。
【図１２】図１２は、図１０の吸引アセンブリの断面図であり、吸引アセンブリを通る流路を示している。
【図１３】図１３は、図１０の吸引アセンブリの断面図であり、一方向弁を通る閉じた経路を示す。
【図１４】図１４は、図１０の吸引アセンブリの断面図であり、第２の位置でのシールアレンジメントを示している。
【図１５】図１５は、図１０の吸引アセンブリの断面図であり、吸引アセンブリを通ってコネクタ本体への流路を示している。
【図１６】図１６は、図１０の吸引アセンブリの断面図であり、本発明のさらなる態様による流路配置および構成を示している。
【図１７】図１７は、本発明の一態様によるシールアレンジメントの断面図である。
【図１８】図１８は、本発明のさらなる態様によるシールアレンジメントの断面図である。
【発明を実施するための形態】
【００１１】
図は、一般に、本開示のシステムおよび方法の好ましい非限定的な側面を示している。本明細書は、デバイスのさまざまな側面を示していますが、本開示を限定するものとして解釈されるべきではない。さらに、本開示の態様の修正、概念、および適用は、本明細書の図解および説明に含まれるがこれらに限定されないものとして当業者によって解釈されるべきである。
【００１２】
以下、説明の目的のために、用語「上部（upper）」、「下部（lower）」、「右（right）」、「左（left）」、「垂直の（vertical）」、「水平の（horizontal）」、「上（top）」、「下（bottom）」、「横の（lateral）」、「縦の（longitudinal）」、およびそれらの派生語は、図面において配向されるように、本発明に関するものとする。「近位」という用語は、デバイスの中心または中央領域に向かう方向を指す。「遠位」という用語は、デバイスの中央領域から離れて延びる外向きの方向を指す。しかしながら、本開示は、それとは反対に明示的に特定されない限り、様々な代替的な変形を前提としてもよいことは理解されよう。また、添付の図面に示され、および以下の明細書に記載される具体的なデバイスおよびプロセスは、本開示の単なる例示的な側面であることも理解されるべきである。そのため、本明細書に開示される側面に関連する具体的な寸法および他の物理的な特徴は、限定的なものであるとしてみなされるべきではない。本開示の理解を容易にする目的で、添付の図面および説明は、その好ましい態様を示し、そこから、本開示、その構造の様々な態様、構造および操作方法、ならびに多くの利点を理解し、理解することができる。
【００１３】
本開示の一態様によれば、シリンジ１２を別の医療デバイス、例えば患者コネクタ１４、または流体容器に接続するためのシリンジアダプタ１０が提供される。医療デバイスは、例えば、患者ライン、バイアルアダプタ、流体容器、または注入アダプタであり得る。他の例では、容器は、医療用バイアル、シリンジバレル、ＩＶバッグ、または患者に投与される流体を保持するための同様の容器であり得る。シリンジアダプタ10は、シリンジ12と医療デバイスまたは流体容器との間の流体の閉鎖的な移送を容易にするために使用することができる。
【００１４】
図１〜９を参照すると、本発明の一態様によるシリンジアダプタ１０は、ハウジング２０と、ハウジング２０内に配置されたカニューレ２２と、ハウジング２０内に配置され、第１の位置と第２の位置との間でハウジング２０内を移動可能なシールアレンジメント２４と、ハウジング２０内に配置された吸引アセンブリ２６とを含む。吸引アセンブリ２６は、シリンジアダプタ１０がシリンジ１２に接続されている間、シリンジ１２がシリンジ１２に空気を吸引することを可能にするように構成される。上記のように、特定の状況では、シリンジアダプタ１０に接続された状態でシリンジ１２に空気を吸引することが、バイアルまたは他の容器に空気を注入することを可能にするために望ましい。吸引アレンジメントがない場合、シールアレンジメント２４は、シリンジアダプタ１０に接続されたときにシリンジ１２内に空気が吸引されるのを防ぐであろう。
【００１５】
ハウジング２０は、第１の端部３０と、第１の端部３０の反対側に配置された第２の端部３２とを有し、ハウジング２０の第１の端部３０に配置されたコネクタ本体３４を含む。コネクタ本体３４は、シリンジ１２に固定されるように構成される。一態様では、コネクタ本体３４は、メスのルアーコネクタ３６を含むが、他の好適な接続アレンジメントを利用してもよい。カニューレ２２は、第１の端部４０と、第１の端部４０の反対側にある第２の端部４２とを有する。カニューレ２２は、移送開口部４４および弁開口部４６を画定する。移送開口部４４は、カニューレ２２の第２の端部４２に隣接して配置されている。弁開口部４６は、カニューレ２２の第１および第２の端部４０、４２の中間に配置されている。シールアレンジメント２４は、コレット５０およびコレット５０内に受け入れられた膜５２を含むが、他の好適なシールアレンジメント２４を利用してもよい。シールアレンジメント２４は、カニューレ２２の第２の端部４２がシールアレンジメント２４の膜５２内に受け入れられた第１の位置と、カニューレ２２の第２の端部４２がシールアレンジメント２４の膜５２の外側に配置された第２の位置とを有する。シールアレンジメント２４は、シリンジアダプタ１０を利用する流体の閉鎖的な移送を容易にする。コレット５０は、患者コネクタ１４などの嵌合コネクタと協働して、コレット５０を嵌合コネクタに接続し、シールアレンジメント２４を第１の位置から第２の位置に遷移させて、流体がカニューレ２２を通って流れることを可能にする。シールアレンジメント２４は、本明細書では詳細に論じられず、参照によりその全体が本明細書に組み込まれる米国特許出願第２０１５／０２９７４５４号に示され、記載されているシールアレンジメントと同様に機能してもよい。
【００１６】
図３〜９を参照すると、吸引アセンブリ２６は、吸引開口部５８を画定する吸引ハウジング５６と、吸引ハウジング５６によって受け取られるフィルタ６０と、および吸引ハウジング５６によって受け取られる一方向弁６２とを含む。図６に示されるように、空気は、吸引開口部５８を介してフィルタ６０に流入し、一方向弁６２に流入し、そしてカニューレ２２の弁開口部４６に流入するように構成される。より具体的には、シリンジプランジャ６４が引き抜かれると、吸引ハウジング５６内に圧力降下が生じて一方向弁６２が開き、ハウジング２０を通って、吸引開口部５８を通って、フィルタ６０を通って、および一方向弁６２を通って、弁開口部４６を介してカニューレ２２に入り、コネクタ本体３４の中央通路６５を通って、シリンジ１２に空気が吸引されるようになる。
【００１７】
吸引アセンブリ２６はまた、吸引ハウジング５６に固定され、フィルタ６０および一方向弁６２と係合するベース６６を含んでもよい。ベース６６はコネクタ本体３４に固定されてもよい。ベース６６は、超音波溶接を介して吸引ハウジング５６およびコネクタ本体３４に固定され得るが、他の好適な固定アレンジメントも利用され得る。カニューレ２２の第１の端部４０は、カニューレ２２がベース６６、一方向弁６２、フィルタ６０、およびカニューレ２２の第２の端部４２がシールアレンジメント２４によって受け入れられるように構成された吸引ハウジングを通って延びるように、コネクタ本体３４に固定される。
【００１８】
図７に示されるように、一方向弁６２は、一方向弁６２からフィルタ６０および吸引ハウジング５６の吸引開口部５８への流体の流れを防止する。図８および図９に示されるように、シールアレンジメント２４の膜５２は、シールアレンジメント２４が第２の位置にあるときに、吸引ハウジング５６の吸引開口部５８と係合してシールする。特に、シールアレンジメント２４の膜５２は、図８で強調されているように、吸引アセンブリ２６との間にシールされたインターフェース６８を形成し、流体または汚染物が吸引アセンブリ２６を介してハウジング２０に出入りする可能性を防止する。膜５２を利用して吸引アセンブリ２６に対してシールするのではなく、別のシールガスケットまたは表面をシールアレンジメント２４に固定してもよい。
【００１９】
図６〜９を参照すると、吸引アセンブリ２６の少なくとも一部は、コネクタ本体３４内に受け入れられる。一態様では、フィルタ６０および一方向弁６２は環状であり、一方向弁６２はフィルタ６０内に受け入れられる。吸引ハウジング５６は円筒状であるが、他の好適な形状および構成が利用されてもよい。ベース６６は、平面の円形部分７０から延びる円筒形の延長部７２を備えた平面の円形部分７０を含む。円筒状延長部７２は、吸引ハウジング５６と流体連通する１つまたは複数の開口部７４を画定する。カニューレ２２の弁開口部４６は、ベース６６内に配置され、ベース６６の開口部７４は、カニューレ２２の弁開口部４６と流体連通している。カニューレ２２の弁開口部４６は、図６〜９に示されるように、１つまたは複数の開口部４６を含んでもよい。
【００２０】
図４〜９を参照すると、一方向弁６２は、弁本体７６と、弁本体７６に対して半径方向内側に相対的に移動可能な弁部材７８とを含む。一方向弁６２の弁部材７８はエラストマーであるが、他の適切な材料を利用してもよい。弁部材７８は、他の適切な構成が利用されてもよいが、弁本体７６上にオーバーモールドされてもよい。弁部材７８は、弁本体７６の対応する傾斜面８２と協働して、弁部材７８の半径方向内向きの動きのみを可能にする傾斜面８０を含む。したがって、一方向弁６２は、一方向弁６２（図６）およびシリンジ１２から吸引アセンブリ２６（図７）への空気の移動を伴う吸引アセンブリ２６への空気の吸引を許可することにより、弁部材７８の傾斜面８０が弁本体７６の傾斜面８２と係合してシールされ、これにより、一方向弁６２を通る流れが防止される。フィルタ６０内に一方向弁６２が配置されているため、フィルタ６０はまた、弁部材７８が半径方向外向きに移動するのを防止するように構成される。言い換えれば、フィルタ６０は、弁部材７８の半径方向外向きの任意の動きを制限する。シリンジ２内への吸引の間、フィルタ６０は、空気が吸引アセンブリ２６を通ってシリンジ１２に吸引されるときに、空気からのあらゆる汚染を濾過するように構成される。フィルタ６０は、疎水性および／または疎油性であってもよい。
【００２１】
図１０〜１８を参照すると、本発明のさらなる態様による吸引アセンブリ１２６が提供される。吸引アセンブリ１２６は、図１〜９の吸引アセンブリ２６と同様であり、同様の方法で機能する。吸引アセンブリ１２６は、図１〜９の吸引アセンブリ２６と同様の方法でシリンジアダプタ内に組み込まれる。図１０〜１８の吸引アセンブリ１２６は、吸引開口部１５８を画定する吸引ハウジング１５６と、吸引ハウジング１５６によって受け取られるフィルタ１６０と、吸引ハウジング１５６によって受け取られる一方向弁１６２とを含み、ここで、空気は、吸引開口部１５８を介して、一方向弁１６２を通り、フィルタ１６０を通り、吸引ハウジング１５６に流入するように構成される。吸引アセンブリ１２６は、吸引ハウジング１５６に固定され、フィルタ１６０と係合するベース１６６を含む。図１〜９のシリンジアダプタ１０のようにカニューレ２２に弁開口部４６を提供するのではなく、ベース１６６は開口部１７０を画定し、コネクタ本体３４は開口部１７２を画定する。コネクタ本体３４の開口１７２は、ベース１６６の開口１７０およびコネクタ本体３４の中央通路６５と流体連通している。したがって、図１２に示されるように、吸引ハウジング１５６の吸引開口１５８を通り、一方向弁１６２を通り、フィルタ１６０を通り、ベース１６６の開口１７０を通り、コネクタ本体３４の開口１７２を通り、コネクタ本体３４の中央通路６５に流入する流路が提供される。
【００２２】
図１２〜１８を参照すると、カニューレ２２の第１の端部４０は、コネクタ本体３４に固定され、カニューレ２２がフィルタ１６０、一方向弁１６２およびカニューレ２２の第２の端部４２がシールアレンジメント２４によって受け入れられるように構成された吸引ハウジング１５８を通って延びるように構成されている。一方向弁１６２は、吸引ハウジング１５６内から吸引開口部１５８への流体の流れを妨げる。図１〜９に関連して上述したシリンジアダプタ１０と同様に、シールアレンジメント２４は、シールアレンジメント２４が第２の位置にあるときに、吸引ハウジング１５６の吸引開口１５８に係合してシールする。シールアレンジメント２４の膜５２は、図１４および１７に示されるように、吸引開口部１５８と係合してシールしてもよい。あるいは、図１８に示されるさらなる態様では、シーリングガスケット１７６がコレット５０によって受け取られ、シーリングガスケット１７６は、吸引ハウジング１５６の吸引開口１５８に係合してシールする。一方向弁１６２は傘弁であるが、他の適切な構成が提供され得る。一方向弁１６２は、通路１８２を画定する中央本体１８０と、中央本体１８０から延びる傘形状のフランジ１８４とを含む。図１２に示されるように、傘形状のフランジ１８４は弾力性があり、空気がシリンジ１２を介して吸引開口部１５８を通ってベース１６６の開口部１７０とコネクタ本体３４の開口１７２に向かって吸引されると、吸引ハウジング１５６の吸引開口部１５８から離れるように持ち上げられるように構成される。特に、シリンジ１２のプランジャ６４を引き抜くと、吸引ハウジング１５６内に圧力降下が生じ、これにより、一方向弁１６２が開き、上述したように吸引開口１５８を介して空気が吸引される。図１３および１４に示されるように、コネクタ本体３４の中央通路６５を通って、コネクタ本体３４の開口部１７２、ベース１６６の開口１７０、および吸引ハウジング１５６に流れる空気または流体は、一方向弁１６２の傘状フランジ１８４を吸引ハウジング１５６に対して強制的に押し付けて、吸引開口部１５７を塞ぐ。複数の吸引開口部１５８が示されているが、１つまたは複数の吸引開口部１５８が提供されてもよい。吸引中、フィルタ１６０は、吸引ハウジング１５６を通ってコネクタ本体３４に通過するあらゆる汚染物を濾過する。フィルタ１６０は、疎水性および／または疎油性であってもよい。
【００２３】
吸引ハウジング１５６は円筒状であるが、他の好適な形状および構成が利用されてもよい。ベース１６６は、平面の円形部分１８８から延びる円筒形の延長部１９０を備えた平面の円形部分１８８を含む。フィルタ１６０は環状であり、ベース１６６の円筒形延長部１９０の上に配置されている。ベース１６６の円筒形延長部１９０はまた、一方向弁１６２の中央本体１８０の通路１８２を通って延びる。一方向弁１６２およびベース１６６の一部は、吸引ハウジング１５６から延びるが、他の適切な構成を利用してもよい。
【００２４】
図１６を参照すると、図１５に示されるようにベース１６６を提供するのではなく、コネクタ本体３４は、フィルタ１６０、一方向弁１６２、および吸引ハウジング１５６を通って延びる円筒形状延長部１９４を提供してもよい。コネクタ本体３４の開口１７２は、吸引開口１５８を通って一方向弁１６２を通過して吸引ハウジング１５６に入り、フィルタ１６０を通って、コネクタ本体３４の開口部１７２に入り、コネクタ本体３４の中央通路６５につながる流体経路が形成された状態で、吸引ハウジング１５６と直接流体連通している。
【００２５】
本発明は、現在最も実用的で好ましい態様であると現在考えられていることに基づいて、例示の目的のために詳細に説明されたが、そのような詳細は単にその目的のためであり、及び、本発明は、開示された態様に限定されないが、逆に、添付の特許請求の範囲の精神および範囲内にある修正および同等の配置を包含することが意図されていることを理解されよう。例えば、本発明は、可能な範囲で、任意の態様の１つ又は複数の特徴を、他の任意の態様の１つ又は複数の特徴と組み合わせられることを企図していることを理解されよう。
【図１】
2021521929.tif 000003
【図２】
2021521929.tif 000004
【図３】
2021521929.tif 000005
【図４】
2021521929.tif 000006
【図５】
2021521929.tif 000007
【図６】
2021521929.tif 000008
【図７】
2021521929.tif 000009
【図８】
2021521929.tif 000010
【図９】
2021521929.tif 000011
【図１０】
2021521929.tif 000012
【図１１】
2021521929.tif 000013
【図１２】
2021521929.tif 000014
【図１３】
2021521929.tif 000015
【図１４】
2021521929.tif 000016
【図１５】
2021521929.tif 000017
【図１６】
2021521929.tif 000018
【図１７】
2021521929.tif 000019
【図１８】
2021521929.tif 000020
【国際調査報告】
2021521929.tif 000021
2021521929.tif 000022